(57)【要約】【課題】  液晶表示装置の第一電極基板と第二電極基板のショートを防止する。【解決手段】  複数の画素電極を有する第一電極基板（下基板）と、該第一電極基板に相対する対向電極を有する第二電極基板(上基板)を備え、前記第一電極基板と前記第二電極基板がオフセットされ所定の間隔で貼り合わされた小型液晶表示パネルを、前記第二電極基板と回路基板の対向する面に有する電極を導電性媒体で電気的に接続する小型液晶表示装置において、前記第二電極基板のオフセットされた対向電極部分と電気的に導通する部分を特殊金属半田膜の形状又はダム形状を有する電気的導通部品により導電性媒体が第一電極基板側へ流れる事を防止し、接触しないようにした小型液晶表示装置とする。【選択図】図１
2009294404.tif 000002
【特許請求の範囲】
【請求項１】
複数の画素電極を有する第一電極基板（下基板）と、該第一電極基板に相対する対向電極を有する第二電極基板(上基板)を備え、前記第一電極基板と前記第二電極基板がオフセットされ所定の間隔で貼り合わされた小型液晶表示パネルを、前記第二電極基板と回路基板の対向する面に有する電極を導電性媒体で電気的に接続する小型液晶表示装置において、前記第二電極基板のオフセットされた対向電極部分に特殊金属半田膜を形成し、該特殊金属半田膜の第一電極基板側にダム形状を形成したことを特徴とする小型液晶表示装置。
【請求項２】
複数の画素電極を有する第一電極基板（下基板）と、該第一電極基板に相対する対向電極を有する第二電極基板(上基板)を備え、前記第一電極基板と前記第二電極基板がオフセットされ所定の間隔で貼り合わされた小型液晶表示パネルを、前記第二電極基板と回路基板の対向する面に有する電極を導電性媒体で電気的に接続する小型液晶表示装置において、前記第二電極基板のオフセットされた対向電極部分に、ダム形状を有した電気的導通部品を前記ダム形状を第一電極基板側にして特殊金属半田にて半田付けしたことを特徴とする小型液晶表示装置。
【発明の詳細な説明】
【技術分野】
【０００１】
本発明は小型液晶表示装置に関するものである。
【背景技術】
【０００２】
一般的に液晶表示装置は、表面に画素電極が形成された第一電極基板と、それに相対し表面に対向電極が形成された第二電極基板を所定の位置関係で貼り合わせ、前記基板間に液晶を注入した液晶パネルを回路基板上に実装し、画素電極と対向電極間に電位差を与え、液晶を動作させ表示をさせている。
【０００３】
前記液晶表示装置の画素電極への電位供給は、第一電極基板と回路基板上の配線パターン(電極)をワイヤーで接続し、電気的に導通をさせることで実現している。一方対向電極への電位供給は、第二電極基板と回路基板間に導電性媒体（たとえば、熱硬化性導電性樹脂などの銀ペースト）などを塗布し、第二電極基板に形成された対向電極と回路基板上の導電パッドを電気的に導通させることで実現している。
【０００４】
図３は従来技術による液晶表示装置の断面図である。第一電極基板１と第二電極基板２は回路基板５と導通をとるため、液晶９を介し、オフセット１２を要した位置関係で貼り合わされている。第一電極基板１に形成された画素電極６は、画素電極パッド１７とワイヤー１３によって回路基板５の配線パターン８と接続されている。また第二電極基板２に形成された透明電極である対向電極７（一般的にはＩＴＯ電極膜）は、導電性媒体４によって回路基板５の電極パッド１１と接続され画素電極６とは異なった電位差を供給される。
【０００５】
前記第一電極基板１と第二電極基板２間に液晶９が挟持されるが、液晶９と接する面には、液晶９を配向するための配向膜３が形成されている。配向膜３は画素電極６、対向電極７が形成された第一電極基板１，第二電極基板２の表面にポリイミド膜をスピンコーターにより形成し、表面をラビングして形成される絶縁膜である。
【０００６】
この状態で第二電極基板２の対向電極７と回路基板５の電極パッド１１とを導電性媒体４で導通をとらなければならないが、このままではポリイミド膜が邪魔をし導電がとれない。これを回避するために第二電極基板２のオフセット１２部分をプラズマ洗浄で配向膜を除去し、対向電極７をむき出しにして更に特殊金属半田１０を対向電極７部分に塗布し、最終的に導電性媒体４を使用して、回路基板５の電極パッド部１１と導通をとる。一方第一電極基板１の電極パッド１７側も同様に、プラズマ洗浄にて配向膜を除去させ、画素電極パッド１７をむき出しにさせ、画素電極パッド１７と回路基板５上の電極パターン８とをワイヤー１３にて接続させ導通をとる。
【特許文献１】特開昭６０−１０８８２２号公報
【発明の開示】
【発明が解決しようとする課題】
【０００７】
前記のように第二電極基板２と回路基板５の電極パッド１１の間に導電性媒体４を塗布して、対向電極間の導通はとられているが、小型液晶パネルでは第二電極基板２の対向電極７のオフセット１２部分の面積が小さく、その部分へ導電性媒体４を塗布した場合、導電性媒体４が第一電極基板１へ流れて接触してしまう場合がある。接触してしまうと上下の基板間がショートしてしまい、第一電極基板１と第二電極基板２間に電位差を与えられず小型液晶表示装置が駆動しない（図４は導電性媒体４が第一電極基板１に接触し第一電極基板１と第二電極基板２がショートした状態の小型液晶表示装置の断面図である）。またオフセット１２領域を大きくし導電性媒体４の塗布位置から第一電極基板１の距離を離せば、導電性媒体４による第一電極基板１への接触は避けられるが、オフセット１２領域を大きくすることは、小型液晶表示装置全体の面積を大きくすることであり、小型化を行う上では非常に不利となってしまう。
【課題を解決するための手段】
【０００８】
複数の画素電極を有する第一電極基板（下基板）と、該第一電極基板に相対する対向電極を有する第二電極基板(上基板)を備え、前記第一電極基板と前記第二電極基板がオフセットされ所定の間隔で貼り合わされた小型液晶表示パネルを、前記第二電極基板と回路基板の対向する面に有する電極を導電性媒体で電気的に接続する小型液晶表示装置において、前記第二電極基板のオフセットされた対向電極部分に特殊金属半田膜を形成し、該特殊金属半田膜の第一電極基板側にダム形状を形成した小型液晶表示装置とする。
【０００９】
複数の画素電極を有する第一電極基板（下基板）と、該第一電極基板に相対する対向電極を有する第二電極基板(上基板)を備え、前記第一電極基板と前記第二電極基板がオフセットされ所定の間隔で貼り合わされた小型液晶表示パネルを、前記第二電極基板と回路基板の対向する面に有する電極を導電性媒体で電気的に接続する小型液晶表示装置において、前記第二電極基板のオフセットされた対向電極部分に、ダム形状を有した電気的導通部品を前記ダム形状を第一電極基板側にして特殊金属半田にて半田付けした小型液晶表示装置とする。
【発明の効果】
【００１０】
本発明によると、小型液晶表示装置の第二電極基板２に形成されたオフセット１２部分の対向電極部７と回路基板５とを導電性媒体４を使用して電気的に導通を取る際に、導電性媒体４が第一電極基板１に接触することなく導通をとる事が出来る。
【発明を実施するための最良の形態】
【００１１】
複数の画素電極を有する第一電極基板（下基板）と、該第一電極基板に相対する対向電極を有する第二電極基板(上基板)を備え、前記第一電極基板と前記第二電極基板がオフセットされ所定の間隔で貼り合わされた液晶表示パネルを、前記第二電極基板と回路基板の対向する面に有する電極を導電性媒体で電気的に接続する液晶表示装置において、前記第二電極基板のオフセットされた対向電極部分と電気的に導通する部分を特殊金属半田膜の形状又はダム形状を有する電気的導通部品により導電性媒体が第一電極基板側へ流れる事を防止し、接触しないようにした小型液晶表示装置とする。
【実施例１】
【００１２】
図１は本発明による実施形態１を説明するための小型液晶表示装置の断面図である。従来技術と異なるのは、特殊金属半田１０に第二電極基板２に形成された対向電極７上の第一電極基板１側にダム形状１４を形成する（側面から見てＬ字形状）点である。本発明で使用する特殊金属半田とは、対向電極（ＩＴＯ）７との密着性が良いと共に第二電極基板２上の対向電極７に直接成膜できる半田であり、例えばセラソルザ（黒田テクノ株式会社製）等がある。
【００１３】
前記特殊金属半田１０がダム形状１４を形成した部分に導電性媒体４を塗布し、回路基板５の電極パッド１１と導通をとる。
【００１４】
ここで重要なのは第二電極基板２のオフセットされた対向電極７部分に特殊金属半田１０にダム形状１４を形成するという事である。但しダム形状１４は第一電極基板１の厚み分より低く形成する必要がある。第一電極基板１より高くダム形状１４を形成してしまうと、第一電極基板１を回路基板５に実装した際、回路基板５と第一電極基板１間に隙間が発生していまい、結果的に小型液晶パネルが傾いた状態となってしまう。
【００１５】
特殊金属半田１０にダム形状１４を形成することで、導電性媒体４を塗布した際導電性媒体４が第一電極基板１側へ流れ込む事を防ぐ事が出来る
【００１６】
また従来の課題であったオフセット部を広く取り、導電性媒体４の流れによる第一電極基板１への接触を避ける方法ではなく、特殊金属半田１０のダム形状１４を形成する事により、導電性媒体４の第一電極基板１側への流れ込み防止となり、結果的にオフセット１２部分を狭い面積で確保出来る事から、小型液晶表示装置全体を小さく作製することが出来る。
【実施例２】
【００１７】
図２は本発明による実施形態２を説明するための小型液晶表示装置の断面図である。実施形態１と異なるのは導電性媒体４の流れ防止のダム構造を電気的導通部品１５で形成する事である。
【００１８】
電気的導通部品１５は第二電極基板２への電圧をかけるためのリード線の役割をするため、電気抵抗は低い方が望ましい。又電気的導通部品１５は図示のようにＬ字形状で構成される。
【００１９】
まず第二電極基板２のオフセット１２された部分へ特殊金属半田１０を使用して、電気的導通部品１５を固定する。その後導電性媒体４により電気的導通部品１５と回路基板５上の電極パッド１１間を接続する。
【００２０】
電気的導通部品のＬ字形状のダム形状部が、導電性媒体４を第一電極基板１側へ流れ込む事を防いでくれる。
【図面の簡単な説明】
【００２１】
【図１】本発明による実施形態１を説明するための小型液晶表示装置の断面図
【図２】本発明による実施形態２を説明するための小型液晶表示装置の断面図
【図３】従来技術による液晶表示装置の断面図
【図４】導電性媒体４が第一電極基板１に接触し第一電極基板１と第二電極基板２がショートした状態の小型液晶表示装置の断面図
【符号の説明】
【００２２】
１    第一電極基板
２    第二電極基板
３    配向膜
４    導電性媒体
５    回路基板
６    画素電極
７    対向電極
８    配線パターン
９    液晶
１０  特殊金属半田
１１  電極パッド
１２  オフセット
１３  ワイヤー
１４  ダム形状
１５  電気的導通部品
１７  画素電極パッド
【図１】
2009294404.tif 000003
【図２】
2009294404.tif 000004
【図３】
2009294404.tif 000005
【図４】
2009294404.tif 000006